(57)【要約】【課題】ユーザに属性データの規格の相違による印刷結果の厳密な相違を簡便に認識させる。【解決手段】画像データから印刷データを生成する印刷用画像処理装置であって、元画像データ、および、元画像データに添付され、印刷データの生成に用いる属性データを読み取る読取部と、読取部に読み取られた属性データが互いに異なる複数の規格を含む場合に、複数の規格のそれぞれの属性データに基づいて元画像データを補正した複数の補正画像データを生成する画像補正部と、画像補正部により補正された複数の補正画像データに基づく複数の画像を同じページに配置した結合画像データを生成する結合画像生成部と、結合画像データから印刷データを生成する印刷データ生成部とを備える。【選択図】図２
2007221383.tif 000002
【特許請求の範囲】
【請求項１】
画像データから印刷データを生成する印刷用画像処理装置であって、
元画像データ、および、前記元画像データに添付され、印刷データの生成に用いる属性データを読み取る読取部と、
前記読取部に読み取られた前記属性データが互いに異なる複数の規格を含む場合に、前記複数の規格のそれぞれの属性データに基づいて前記元画像データを補正した複数の補正画像データを生成する画像補正部と、
前記画像補正部により補正された前記複数の補正画像データに基づく複数の画像を同じページに配置した結合画像データを生成する結合画像生成部と、
前記結合画像データから印刷データを生成する印刷データ生成部と
を備える印刷用画像処理装置。
【請求項２】
前記結合画像生成部は、前記複数の画像を互いに接するように隣接して配する請求項１に記載の印刷用画像処理装置。
【請求項３】
画像データを加工する画像加工部をさらに備え、
前記画像加工部は、前記画像補正部により生成された前記複数の補正画像データを加工し、
前記結合画像生成部は、前記画像加工部により加工された前記複数の補正画像データに基づいて前記結合画像データを生成する請求項１に記載の印刷用画像処理装置。
【請求項４】
画像データを加工する画像加工部をさらに備え、
前記画像加工部は、前記元画像データを加工し、
前記画像補正部は、前記画像加工部により加工された前記元画像データに対して前記属性データに基づいた補正をして前記複数の補正画像データを生成する請求項１に記載の印刷用画像処理装置。
【請求項５】
画像データを加工する画像加工部をさらに備え、
前記画像加工部は、前記結合画像生成部により生成された前記結合画像データを加工し、
前記印刷データ生成部は、前記画像加工部により加工された前記結合画像データから前記印刷データを生成する請求項１に記載の印刷用画像処理装置。
【請求項６】
前記属性データは色空間補正のデータを含み、
前記画像加工部による加工は色調補正を含む請求項１から５のいずれかに記載の印刷用画像処理装置。
【請求項７】
画像データから印刷データを生成する印刷用画像処理方法であって、
元画像データ、および、前記元画像データに添付され、印刷データの生成に用いる属性データを読み取る手順と、
属性データを読み取る手順により読み取られた前記属性データが互いに異なる複数の規格を含む場合に、前記複数の規格のそれぞれの属性データに基づいて前記元画像データを補正した複数の補正画像データを生成する手順と、
前記複数の補正画像データを生成する手順により補正された前記複数の補正画像データに基づく複数の画像を同じページに配置した結合画像データを生成する手順と、
前記結合画像データから印刷データを生成する手順と
を備える印刷用画像処理方法。
【請求項８】
画像データから印刷データを生成する印刷用画像処理装置を制御するプログラムであって、前記印刷用画像処理装置に、
元画像データ、および、前記元画像データに添付され、印刷データの生成に用いる属性データを読み取る手順、
属性データを読み取る手順により読み取られた前記属性データが互いに異なる複数の規格含む場合に、前記複数の規格のそれぞれの属性データに基づいて前記元画像データを補正した複数の補正画像データを生成する手順、
前記複数の補正画像データを生成する手順により補正された前記複数の補正画像データに基づく複数の画像を同じページに配置した結合画像データを生成する手順、および、
前記結合画像データから印刷データを生成する手順
を実行させるプログラム。
【発明の詳細な説明】
【技術分野】
【０００１】
本発明は、印刷用画像処理装置、印刷用画像処理方法およびプログラムに関する。特に、本発明は、画像データから印刷データを生成する印刷用画像処理装置、印刷用画像処理方法、および、プログラムに関する。
【背景技術】
【０００２】
従来、画像データ、および、印刷時の画質調整に用いる属性データを含む画像ファイルを生成する画像ファイル生成装置が知られている（特許文献１を参照）。特許文献１における画像ファイル生成装置は、属性データを、特定の画像処理のアプリケーションまたは印刷装置が解釈できる規格で生成するが、互いに異なる複数の規格で属性データを生成することもできる。印刷装置は、特許文献１に記載の画像ファイル生成装置により生成された画像ファイルを印刷時する場合に、ユーザから画質調整を施す旨の指示を受け付けたときは、その画像ファイルに含まれる複数の属性データに基づいて画質調整を施して印刷し、その指示を受け付けなかったときは、画質調整を施すことなく印刷する。
【特許文献１】特開２００２−３１４９３６号公報
【発明の開示】
【発明が解決しようとする課題】
【０００３】
しかしながら、ユーザは、ある画像の画質調整に用いる属性データを印刷前に参照したとしても、その画像がある印刷装置である印刷用紙にどのような明るさ、色味などで表現されるかを容易に予測することは困難である。したがって、特許文献１に記載の画像ファイル生成装置により生成された画像ファイルを印刷する場合に、互いに異なる規格の属性データのそれぞれに基づいてどのように印刷結果が異なるかを認識するのに、それぞれ複数回の印刷をすることになる。よって、印刷用紙を多く消費することになり、また、それぞれの用紙に印刷された結果をユーザが付き合わせるという手間が発生するという課題がある。
【課題を解決するための手段】
【０００４】
上記課題を解決するために、本発明の第１の形態においては、画像データから印刷データを生成する印刷用画像処理装置であって、元画像データ、および、元画像データに添付され、印刷データの生成に用いる属性データを読み取る読取部と、読取部に読み取られた属性データが互いに異なる複数の規格を含む場合に、複数の規格のそれぞれの属性データに基づいて元画像データを補正した複数の補正画像データを生成する画像補正部と、画像補正部により補正された複数の補正画像データに基づく複数の画像を同じページに配置した結合画像データを生成する結合画像生成部と、結合画像データから印刷データを生成する印刷データ生成部とを備える。これにより、異なる規格の属性データに基づく複数の補正画像データを一つの画像として同一の用紙に印刷するので、ユーザに属性データの規格の相違による印刷結果の相違を簡便に認識させることができる。
【０００５】
結合画像生成部は、複数の画像を互いに接するように隣接して配してもよい。これにより、属性データの規格の相違による印刷結果の相違をユーザにより分かり易く認識させることができる。
【０００６】
印刷用画像処理装置は、画像データを加工する画像加工部をさらに備え、画像加工部は、画像補正部により生成された複数の補正画像データを加工し、結合画像生成部は、画像加工部により加工された複数の補正画像データに基づいて結合画像データを生成してもよい。これにより、異なる規格の属性データに基づき生成された複数の補正画像データのそれぞれをさらに加工する場合であっても、異なる規格の属性データに基づく複数の補正画像データを一つの画像として同一の用紙に印刷するので、ユーザに属性データの規格の相違による印刷結果の厳密な相違を簡便に認識させることができる。特に、異なる属性データに基づいて元画像データを補正した複数の補正画像データを生成し、生成したそれぞれの補正画像データを別々に加工してそれぞれ印刷データ生成した場合と同一の印刷データを生成するので、ユーザに属性データの規格の相違による印刷結果の相違をより簡便に認識させることができる。
【０００７】
結合画像生成部は、画像データを加工する画像加工部をさらに備え、画像加工部は、元画像データを加工し、画像補正部は、画像加工部により加工された元画像データに対して属性データに基づいた補正をして複数の補正画像データを生成してもよい。これにより、加工された元画像データを異なる規格の属性データに基づいて複数の補正画像データを生成する場合であっても、異なる規格の属性データに基づく複数の補正画像データを一つの画像として同一の用紙に印刷するので、ユーザに属性データの規格の相違による印刷結果の相違を簡便に認識させることができる。また、複数の補正画像データのそれぞれをさらに加工する場合に比べて、処理時間を短縮し、結合画像の容量を小さくできる。
【０００８】
印刷用画像処理装置は、画像データを加工する画像加工部をさらに備え、画像加工部は、結合画像生成部により生成された結合画像データを加工し、印刷データ生成部は、画像加工部により加工された結合画像データから印刷データを生成してもよい。これにより、結合画像データをさらに加工する場合であっても、異なる規格の属性データに基づく複数の補正画像データを一つの画像として同一の用紙に印刷するので、ユーザに属性データの規格の相違による印刷結果の相違を簡便に認識させることができる。また、加工された元画像データから異なる規格の属性データに基づいて複数の補正画像データを生成する場合に比べて、属性データの規格の相違による印刷結果の相違を正確に認識させることができる。
【０００９】
属性データは色空間補正のデータを含み、画像加工部による加工は色調補正を含んでもよい。これにより、ユーザに色空間補正に係る属性データの規格の相違による印刷結果の相違を簡便に認識させることができる。また、印刷データを生成する過程において色調補正を伴う場合であっても、ユーザに色空間補正に係る属性データの規格の相違による印刷結果の相違を簡便に認識させることができる。
【００１０】
上記課題を解決するために、本発明の第２の形態においては、画像データから印刷データを生成する印刷用画像処理方法であって、元画像データ、および、元画像データに添付され、印刷データの生成に用いる属性データを読み取る手順と、属性データを読み取る手順により読み取られた属性データが互いに異なる複数の規格を含む場合に、複数の規格のそれぞれの属性データに基づいて元画像データを補正した複数の補正画像データを生成する手順と、複数の補正画像データを生成する手順により補正された複数の補正画像データに基づく複数の画像を同じページに配置した結合画像データを生成する手順と、結合画像データから印刷データを生成する手順とを備える。これにより第１の実施形態と同一の効果を得ることができる。
【００１１】
上記課題を解決するために、本発明の第３の形態においては、画像データから印刷データを生成する印刷用画像処理装置を制御するプログラムであって、印刷用画像処理装置に、元画像データ、および、元画像データに添付され、印刷データの生成に用いる属性データを読み取る手順、属性データを読み取る手順により読み取られた属性データが互いに異なる複数の規格を含む場合に、複数の規格のそれぞれの属性データに基づいて元画像データを補正した複数の補正画像データを生成する手順、複数の補正画像データを生成する手順により補正された複数の補正画像データに基づく複数の画像を同じページに配置した結合画像データを生成する手順、および、結合画像データから印刷データを生成する手順を実行させる。これにより第１の実施形態と同一の効果を得ることができる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１４】
図１は、印刷用画像処理装置１０の一例を示す。印刷用画像処理装置１０は、画像データから印刷データを生成するプログラムを実行する本体１２、表示画面を有しユーザに対して本体１２からの出力に基づく表示をするディスプレイ１４と、ユーザから本体１２に対する入力手段の一例としてのキーボード１６およびマウス１８とを備える。デジタルカメラ２２は、画像を読み込む手段の一例として、本体１２と接続される。プリンタ２４は、本体１２からの出力に基づいて印刷用紙上に印刷をする。
【００１５】
図２は、本体１２のブロック図を一例で示す。本体１２は、画像処理部１００および画像格納部１８０を備える。画像格納部１８０は、デジタルカメラ２２により撮像された元画像データ４００を格納する。画像格納部１８０は、また、元画像データ４００に加え、元画像データ４００に添付され印刷データの生成に用いる属性データ５００を格納する。ここで、元画像データ４００は、例えば、ＪＰＥＧ形式で格納される。
【００１６】
属性データ５００は、例えば、ＴＩＦＦ形式で表現され、互いに異なる規格の属性データ５０２、５０４を含む。属性データ５０２は、例えば、デジタルカメラ２２が撮像をしたときの撮像の条件および特定の画像処理アプリケーションが認識することができる画像補正として、属性データ５０２を識別する識別情報、色空間補正に関する色空間情報、露出時間情報、絞り値情報、フラッシュ有無情報、露光モード情報およびデジタルズーム情報などの情報を有する。属性データ５０２の一例は、ＥｘｉｆＰｒｉｎｔ規格（ディジタルスチルカメラ用画像ファイルフォーマット（Ｅｘｉｆ）のヴァージョン２．０以降）の画像ファイルのヘッダに書き込まれるデータである。一方、属性データ５０４は、例えば、特定の画像処理アプリケーションが認識することができる画像補正および特定のプリンタ２４が参照する印刷の条件として、属性データ５０４を識別する識別情報、色空間情報、コントラスト情報、明るさ情報、彩度情報およびシャープネス情報などの情報を有する。属性データ５０４の一例は、ＰＩＭ規格（Ｐｒｉｎｔ  Ｉｍａｇｅ  Ｍａｔｃｈｉｎｇ、本出願の出願人が提唱する規格）の画像ファイルのヘッダに書き込まれるデータである。なお、属性データ５０２、５０４は、例えば、デジタルカメラ２２によって元画像データ４００が生成されるときに、デジタルカメラ２２によって生成される。また、画像格納部１８０に格納された元画像データ４００は、非図示の表示部を介して、ディスプレイ１４に表示される。
【００１７】
画像処理部１００は、元画像データ４００および属性データ５００を読み取る読取部１１０、読取部１１０に読み取られた元画像データ４００に対して属性データ５０２、５０４のそれぞれに基づいた補正をしてそれぞれの補正画像データを生成する画像補正部１２０、画像補正部１２０により生成されたそれぞれの補正画像データを加工する画像加工部１３０、画像加工部１３０により加工されたそれぞれの補正画像データに基づいて結合画像データを生成する結合画像生成部１４０、および、結合画像データから印刷データを生成する印刷データ生成部１５０を有する。なお、画像加工部１３０は、例えば、撮像された画像に対して特定の画像処理アプリケーションが施す画像処理であって、色相、明度、および彩度の変換などの色調補正、平滑化、鮮鋭化、コントラスト調整などの処理を施す。
【００１８】
図３は、印刷用画像処理装置１０の動作の一例をフローチャートで示す。図４は、図３に示す各処理において生成される画像データを模式的に示す。図３に示すフローチャートは、元画像データ４００に基づいて印刷すべき旨のユーザからの指示を読取部１１０が受け付けることにより開始する。なお、本フローチャートの開始時において、画像格納部１８０は元画像データ４００および属性データ５００を格納しているものとする。また、画像補正部１２０は色空間に関する補正を施し、画像加工部１３０はトーンカーブによる明度変換を施すものとする。属性データ５０２は色空間情報「ａＲＧＢ」を有し、属性データ５０４は色空間情報「ａＲＧＢ」と異なる色空間情報、「ｂＲＧＢ」を有するものとする。なお、図４において画像補正部１２０による色空間に関する補正を「▲」または「■」で示し、画像加工部１３０による明度変換を斜線で示す。
【００１９】
読取部１１０は、画像格納部１８０に格納された元画像データ４００および属性データ５００を読み取る（Ｓ１００）。そして読取部１１０は、読み取った元画像データ４００および属性データ５００を画像補正部１２０に受け渡す。
【００２０】
画像補正部１２０は、受け取った属性データ５００が互いに異なる複数の規格の属性データを含むか否かを判断する（Ｓ１１０）。画像補正部１２０は、属性データ５００を参照して、属性データ５００が複数の識別情報を有するか否かによって、属性データ５００が互いに異なる複数の規格の属性データを含むか否かを判断する。例えば、属性データ５００は属性データ５０２、５０４の識別情報を含む場合に、画像補正部１２０は、受け取った属性データ５００が互いに異なる複数の規格の属性データ５０２、５０４を含むと判断する（Ｓ１１０：Ｙｅｓ）。そして画像補正部１２０は、属性データ５０２の色空間情報「ａＲＧＢ」に基づいて元画像データ４００を補正した補正画像データ４１０を生成し、属性データ５０４の色空間情報、「ｂＲＧＢ」に基づいて元画像データ４００を補正した補正画像データ４１２を生成する（Ｓ１２０）。そして画像補正部１２０は、生成した補正画像データ４１０、４１２を画像加工部１３０に受け渡す。
【００２１】
画像加工部１３０は、受け取った補正画像データ４１０、４１２をそれぞれ明度変換して、加工画像データ４２０、４２２を生成する（Ｓ１３０）。画像加工部１３０は、画像処理のアプリケーションにより実現されてもよいし、プリンタドライバにより実現されてもよい。画像加工部１３０は、加工画像データ４２０、４２２を結合画像生成部１４０に受け渡す。
【００２２】
結合画像生成部１４０は、受け取った加工画像データ４２０、４２２を同じページに配置した結合画像データ４３０を生成する（Ｓ１４０）。具体的には、結合画像生成部１４０は、受け取った加工画像データ４２０、４２２を互いに接するように隣接して同じページに配置した結合画像データ４３０を生成する。結合画像生成部１４０は、生成した結合画像データ４３０を印刷データ生成部１５０に受け渡す。
【００２３】
印刷データ生成部１５０は、受け取った結合画像データ４３０から、プリンタ２４が解釈できる印刷データを生成する（Ｓ１７０）。印刷データ生成部１５０は、生成した印刷データをプリンタ２４の印刷部に出力する。プリンタ２４は、受け取った印刷データに基づいて印刷する（Ｓ１８０）。そして本フローチャートは終了する。
【００２４】
一方、ステップＳ１１０において、画像補正部１２０は、受け取った属性データ５００が互いに異なる複数の規格の属性データを含まないと判断した場合には（Ｓ１１０：Ｎｏ）、すなわち、属性データ５００が一つの規格の属性データ５０２である場合に、属性データ５０２の色空間情報「ａＲＧＢ」に基づいて元画像データ４００を補正した補正画像データ４１０を生成し（Ｓ１５０）、画像加工部１３０は、生成された補正画像データ４１０を明度変換して、加工画像データ４２０を生成し（Ｓ１６０）、印刷データ生成部１５０は、生成された加工画像データ４２０から印刷データを生成する（Ｓ１７０）。印刷データ生成部１５０は、生成した印刷データをプリンタ２４の印刷部に出力する。プリンタ２４は、受け取った印刷データに基づいて印刷する（Ｓ１８０）。そして本フローチャートは終了する。
【００２５】
なお、画像補正部１２０は元画像データ４００に対応した属性データ５００を読み取らなかった場合に、画像補正部１２０は、ステップＳ１１０の判断において、受け取った属性データ５００が互いに異なる複数の規格の属性データを含まないと判断する（Ｓ１１０：Ｎｏ）。この場合に、画像補正部１２０は、画像を補正するステップＳ１５０をスキップする。
【００２６】
以上、上記実施形態によれば、異なる規格の属性データに基づく複数の補正画像データを一つの画像として同一の用紙に印刷するので、ユーザに属性データの規格の相違による印刷結果の厳密な相違を簡便に認識させることができる。特に、画像加工部１３０が、当該画素に着目して当該画素値を加工（変換）する場合（例えば、トーンカーブによる明度変換）には、異なる属性データに基づいて元画像データを補正した複数の補正画像データを生成し、生成したそれぞれの補正画像データを別々に加工してそれぞれ印刷データ生成した場合と同一の印刷データを生成するので、ユーザに属性データの規格の相違による印刷結果のより厳密な相違を認識させることができる。
【００２７】
図５は、本体１２の他の形態のブロック図を示す。本体１２は、画像処理部２００および画像格納部１８０を備える。画像処理部２００は、元画像データ４００および属性データ５００を読み取る読取部２１０、読取部１１０に読み取られた元画像データ４００を加工する画像加工部２３０、画像加工部２３０により加工された元画像データに対して属性データ５０２、５０４のそれぞれに基づいた補正をしてそれぞれの補正画像データを生成する画像補正部２２０、画像補正部２２０により生成されたそれぞれの補正画像データに基づいて結合画像データを生成する結合画像生成部２４０、および、結合画像データから印刷データを生成する印刷データ生成部２５０を有する。なお、画像加工部２３０は、例えば、撮像された画像に対して特定の画像処理アプリケーションが施す画像処理であって、色相、明度、および彩度の変換などの色調補正、平滑化、鮮鋭化、コントラスト調整などの処理を施す。また、画像格納部１８０の機能は、図２に示す画像格納部１８０と同一なので説明を省略する。
【００２８】
図６は、印刷用画像処理装置１０の他の形態による動作の一例をフローチャートで示す。図７は、図６に示す動作による画像データの出力結果を模式的に示す。図６に示すフローチャートは、図３に示すフローチャートと同一の条件により開始し、開始時における条件も同一であるものとする。読取部２１０は、画像格納部１８０に格納された元画像データ４００および属性データ５００を読み取る（Ｓ２００）。そして読取部２１０は、読み取った元画像データ４００および属性データ５００を画像加工部２３０に受け渡す。
【００２９】
画像加工部２３０は、受け取った元画像データ４００を明度変換して、加工画像データ４４０を生成する（Ｓ２１０）。画像加工部２３０は、加工画像データ４４０および属性データ５００を画像補正部２２０に受け渡す。
【００３０】
画像補正部２２０は、受け取った属性データ５００が互いに異なる複数の規格の属性データを含むか否かを判断する（Ｓ２２０）。属性データ５００は属性データ５０２、５０４の識別情報を含む場合に、画像補正部２２０は、受け取った属性データ５００が互いに異なる複数の規格の属性データ５０２、５０４を含むと判断する（Ｓ２２０：Ｙｅｓ）。そして画像補正部２２０は、属性データ５０２の色空間情報「ａＲＧＢ」に基づいて加工画像データ４４０を補正した補正画像データ４５０を生成し、属性データ５０４の色空間情報、「ｂＲＧＢ」に基づいて加工画像データ４４０を補正した補正画像データ４５２を生成する（Ｓ２３０）。そして画像補正部２２０は、生成した補正画像データ４５０、４５２を結合画像生成部２４０に受け渡す。
【００３１】
結合画像生成部２４０は、受け取った補正画像データ４５０、４５２を同じページに配置した結合画像データ４６０を生成する（Ｓ２４０）。結合画像生成部２４０は、生成した結合画像データ４６０を印刷データ生成部２５０に受け渡す。
【００３２】
印刷データ生成部２５０は、受け取った結合画像データ４６０から印刷データを生成する（Ｓ２７０）。印刷データ生成部２５０は、生成した印刷データをプリンタ２４の印刷部に出力する。プリンタ２４は、受け取った印刷データに基づいて印刷する（Ｓ２８０）。そして本フローチャートは終了する。
【００３３】
一方、ステップＳ２２０において、画像補正部２２０は、受け取った属性データ５００が互いに異なる複数の規格の属性データを含まないと判断した場合に（Ｓ２２０：Ｎｏ）、画像補正部２２０は、属性データが単一の規格の属性データ５０２であった場合に、属性データ５０２の色空間情報「ａＲＧＢ」に基づいて加工画像データ４４０を補正した補正画像データ４５０を生成し（Ｓ２５０）する。印刷データ生成部２５０は、生成された補正画像データ４５０から印刷データを生成する（Ｓ２７０）。印刷データ生成部２５０は、生成した印刷データをプリンタ２４の印刷部に出力する。プリンタ２４は、受け取った印刷データに基づいて印刷する（Ｓ２８０）。そして本フローチャートは終了する。
【００３４】
以上、図５から図７に示す実施形態によれば、異なる規格の属性データに基づく複数の補正画像データを一つの画像として同一の用紙に印刷するので、ユーザに属性データの規格の相違による印刷結果の相違を簡便に認識させることができる。また、複数の補正画像データのそれぞれをさらに加工する場合に比べて、処理時間を短縮し、結合画像の容量を小さくできる。なお、画像加工部１３０による加工の対象画像（補正画像データ４１０、４１２）と、画像加工部２３０による加工の対象画像（元画像データ４００）とが異なるので、各々の画像を単独で補正して加工した結果とは異なるが、ユーザに属性データの規格の相違による印刷結果の相違を簡便に認識させることができる。
【００３５】
図８は、本体１２のさらに他の形態のブロック図を示す。本体１２は、画像処理部３００および画像格納部１８０を備える。画像処理部２００は、元画像データ４００および属性データ５００を読み取る読取部３１０、読取部３１０に読み取られた元画像データ４００に対して属性データ５０２、５０４のそれぞれに基づいた補正をしてそれぞれの補正画像データを生成する画像補正部３２０、画像補正部３２０により生成されたそれぞれの補正画像データに基づいて結合画像データを生成する結合画像生成部３４０、結合画像生成部３４０により生成された結合画像データを加工する画像加工部３３０、および、加工された結合画像データから印刷データを生成する印刷データ生成部３５０を有する。なお、画像加工部２３０は、例えば、撮像された画像に対して特定の画像処理アプリケーションが施す画像処理であって、色相、明度、および彩度の変換などの色調補正、平滑化、鮮鋭化、コントラスト調整などの処理を施す。また、画像格納部１８０の機能は、図２に示す画像格納部１８０と同一なので説明を省略する。
【００３６】
図９は、印刷用画像処理装置１０のさらに他の形態による動作の一例をフローチャートで示す。図１０は、図９に示す動作による画像データの出力結果を模式的に示す。図９に示すフローチャートは、図３に示すフローチャートと同一の条件により開始し、開始時における条件も同一であるものとする。読取部３１０は、画像格納部１８０に格納された元画像データ４００および属性データ５００を読み取る（Ｓ３００）。そして読取部３１０は、読み取った元画像データ４００および属性データ５００を画像補正部３２０に受け渡す。
【００３７】
画像補正部３２０は、受け取った属性データ５００が互いに異なる複数の規格の属性データを含むか否かを判断する（Ｓ３１０）。属性データ５００は属性データ５０２、５０４の識別情報を含むので、画像補正部３２０は、受け取った属性データ５００が互いに異なる複数の規格の属性データ５０２、５０４を含むと判断する（Ｓ３１０：Ｙｅｓ）。そして画像補正部３２０は、属性データ５０２の色空間情報「ａＲＧＢ」に基づいて元画像データ４００を補正した補正画像データ４１０を生成し、属性データ５０４の色空間情報、「ｂＲＧＢ」に基づいて元画像データ４００を補正した補正画像データ４１２を生成する（Ｓ３２０）。そして画像補正部１２０は、生成した補正画像データ４１０、４１２を結合画像生成部３４０に受け渡す。
【００３８】
結合画像生成部３４０は、受け取った補正画像データ４１０、４１２を同じページに配置した結合画像データ４７０を生成する（Ｓ３３０）。結合画像生成部３４０は、生成した結合画像データ４７０を画像加工部３３０に受け渡す。
【００３９】
画像加工部３３０は、受け取った結合画像データ４７０を明度変換して、加工した結合画像データ４８０を生成する（Ｓ３４０）。画像加工部３３０は、加工した結合画像データ４８０を印刷データ生成部３５０に受け渡す。
【００４０】
印刷データ生成部３５０は、受け取った加工した結合画像データ４８０から印刷データを生成する（Ｓ３７０）。印刷データ生成部３５０は、生成した印刷データをプリンタ２４の印刷部に出力する。プリンタ２４は、受け取った印刷データに基づいて印刷する（Ｓ３８０）。そして本フローチャートは終了する。
【００４１】
なお、ステップＳ３１０において、画像補正部２２０は、受け取った属性データ５００が互いに異なる複数の規格の属性データを含まないと判断した場合（Ｓ３１０：Ｎｏ）の動作は、図３に示すフローチャートのステップＳ１５０からＳ１８０の動作と同一なので説明を省略する。
【００４２】
以上、図８から図１０に示す実施形態によれば、異なる規格の属性データに基づく複数の補正画像データを一つの画像として同一の用紙に印刷するので、ユーザに属性データの規格の相違による印刷結果の相違を簡便に認識させることができる。特に、画像加工部３３０が、当該画素に着目して当該画素値を加工する場合（例えば、トーンカーブによる明度変換）には、図３に示す動作と同様に、異なる属性データに基づいて元画像データを補正した複数の補正画像データを生成し、生成したそれぞれの補正画像データを別々に加工してそれぞれ印刷データ生成した場合と同一の印刷データを生成するので、ユーザに属性データの規格の相違による印刷結果のより厳密な相違を認識させることができる。
【００４３】
なお、図３に示すフローチャートにおいて、画像加工部１３０がトーンカーブによる明度変換を施すことにかえて、当該画素の加工において、例えば鮮鋭化のように他の画素を参照する場合であっても、異なる属性データに基づいて元画像データを補正した複数の補正画像データを生成し、生成したそれぞれの補正画像データを別々に加工してそれぞれ印刷データ生成した場合と同一の印刷データを生成するので、ユーザに属性データの規格の相違による印刷結果のより厳密な相違を認識させることができる。
【００４４】
また、図６および図１０に示すフローチャートにおいて、画像加工部３３０がトーンカーブによる明度変換を施すことにかえて、当該画素の加工において、例えば鮮鋭化のように他の画素を参照する場合に、画像加工部３３０による加工の対象画像が結合画像データ４７０なので、各々の画像を単独で補正および加工した結果とは異なるが、ユーザに属性データの規格の相違による印刷結果の相違を簡便に認識させることができる。
【００４５】
なお、図２に示す記憶媒体４０は、読取部１１０、画像補正部１２０、画像加工部１３０、結合画像生成部１４０および印刷データ生成部１５０の動作を行わせるプログラムを格納する。本体１２は記憶媒体４０に格納された上記プログラムをインストールすることにより、読取部１１０等の動作を行わせてもよい。さらに、他の方法として、本体１２は、そのようなプログラムを、通信回線を介して取得してもよい。また、図５および図８に示す記憶媒体４０についても同様である。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４７】
【図１】印刷用画像処理装置１０の一例を示す。
【図２】本体１２のブロック図の一例を示す。
【図３】印刷用画像処理装置１０の動作の一例をフローチャートで示す。
【図４】図３に示す動作による画像データの出力結果を模式的に示す。
【図５】本体１２の他の形態のブロック図を示す。
【図６】印刷用画像処理装置１０の他の形態による動作の一例をフローチャートで示す。
【図７】図６に示す動作による画像データの出力結果を模式的に示す。
【図８】本体１２のさらに他の形態のブロック図を示す。
【図９】印刷用画像処理装置１０のさらに他の形態による動作の一例をフローチャートで示す。
【図１０】図９に示す動作による画像データの出力結果を模式的に示す。
【符号の説明】
【００４８】
１０  印刷用画像処理装置、１２  本体、１４  ディスプレイ、１６  キーボード、１８  マウス、２２  デジタルカメラ、２４  プリンタ、４０  記憶媒体、１００  画像処理部、１１０  読取部、１２０  画像補正部、１３０  画像加工部、１４０  結合画像生成部、１５０  印刷データ生成部、１８０  画像格納部、２００  画像処理部、２１０  読取部、２２０  画像補正部、２３０  画像加工部、２４０  結合画像生成部、２５０  印刷データ生成部、３００  画像処理部、３１０  読取部、３２０  画像補正部、３３０  画像加工部、３４０  結合画像生成部、３５０  印刷データ生成部、４００  元画像データ、４１０  補正画像データ、４１２  補正画像データ、４２０  加工画像データ、４２２  加工画像データ、４３０  結合画像データ、４４０  加工画像データ、４５０  補正画像データ、４５２  補正画像データ、４６０  結合画像データ、４７０  結合画像データ、４８０  結合画像データ、５００  属性データ、５０２  属性データ、５０４  属性データ
【図１】
2007221383.tif 000003
【図２】
2007221383.tif 000004
【図３】
2007221383.tif 000005
【図４】
2007221383.tif 000006
【図５】
2007221383.tif 000007
【図６】
2007221383.tif 000008
【図７】
2007221383.tif 000009
【図８】
2007221383.tif 000010
【図９】
2007221383.tif 000011
【図１０】
2007221383.tif 000012